(57)【要約】【課題】第１の防水部材と第２の防水部材とを備えた電気機器収納用箱の防水性をさらに向上させる技術を提供する。【解決手段】開口部を有する筐体本体１０と、筐体本体１０にヒンジ部材１２を介して開閉自在に取り付けられて開口部を覆う扉１１と、開口部の周縁と扉１１との間に設けられた第１の防水部材２４と、この第１の防水部材２４の外側に配置された第２の防水部材２５とを備えた電気機器収納用箱において、ヒンジ部材１２の軸心２３を、ヒンジ部材１２を配置した筐体本体１０の辺の、第１の防水部材２４及び第２の防水部材２５よりも外側に位置させた。【選択図】図２
2020092510.tif 000002
【特許請求の範囲】
【請求項１】
開口部を有する筐体本体と、この筐体本体にヒンジ部材を介して開閉自在に取り付けられて開口部を覆う扉と、開口部の周縁と扉との間に設けられた第１の防水部材と、この第１の防水部材の外側に配置された第２の防水部材とを備えた電気機器収納用箱であって、前記ヒンジ部材の軸心を、前記ヒンジ部材を配置した筐体本体の辺の、第１の防水部材及び第２の防水部材よりも外側に位置させたことを特徴とする電気機器収納用箱。
【請求項２】
扉の周縁をコ字状に折り曲げて折返部を形成し、また筐体本体の開口部の周縁に内側屈曲部を形成し、扉閉塞時に第２の防水部材が、折返部と内側屈曲部との間に位置する構造としたことを特徴とする請求項１に記載の電気機器収納用箱。
【請求項３】
第２の防水部材は第１の防水部材よりも耐候性が高く、第１の防水部材は第２の防水部材よりも気密性に優れたものであることを特徴とする請求項１または２に記載の電気機器収納用箱。
【発明の詳細な説明】
【技術分野】
【０００１】
本発明は、防水性に優れた電気機器収納用箱に関するものである。
【背景技術】
【０００２】
屋外に設置される電気機器収納用箱には、雨水が内部に浸入することがない優れた防水性が求められる。そこで従来から特許文献１に示されるように、筐体本体の開口部の周縁に第１の防水部材と第２の防水部材とを配置し、防水性を高める工夫がなされている。
【０００３】
図８は特許文献１に記載された防水構造の要部を示す断面図であり、１は筐体本体、２はその開口部を覆う扉、３はヒンジ部材である。筐体本体１の開口部はコの字状に屈曲されており、扉２の端部はＬ字状に屈曲されている。そして扉２の裏面に第１の防水部材（パッキン）４が設けられており、扉２の屈曲部の内側に第２の防水部材５が設けられている。
【０００４】
しかし特許文献１の構造は、ヒンジ部材３が配置された辺においては、第２の防水部材５が扉２の端部と筐体本体１との間に形成される隙間を完全に埋める構造ではないため、第１の防水部材４と第２の防水部材５との間の空間に外部から雨水が浸入してしまうおそれがあった。
【０００５】
また、図８に示した第２の防水部材５を大きくして、扉２の端部と筐体本体１との間に形成される隙間を完全に埋める構造とすることも考えられる。しかし、扉２の開閉時に第２の防水部材５が必要以上に押圧されたり、水平方向の力を受けたりするため、第２の防水部材５が横にずれてしまい、扉２の端部と筐体本体１との間に形成される隙間を完全密封することができないおそれがあった。
【先行技術文献】
【特許文献】
【０００６】
【特許文献１】特開２０１６−１０２２０号公報
【発明の概要】
【発明が解決しようとする課題】
【０００７】
従って本発明の目的は上記した従来の問題点を解決し、第１の防水部材と第２の防水部材により、防水性をさらに向上させた電気機器収納用箱を提供することである。
【課題を解決するための手段】
【０００８】
上記の課題を解決するためになされた本発明は、開口部を有する筐体本体と、この筐体本体にヒンジ部材を介して開閉自在に取り付けられて開口部を覆う扉と、開口部の周縁と扉との間に設けられた第１の防水部材と、この第１の防水部材の外側に配置された第２の防水部材とを備えた電気機器収納用箱であって、前記ヒンジ部材の軸心を、前記ヒンジ部材を配置した筐体本体の辺の、第１の防水部材及び第２の防水部材よりも外側に位置させたことを特徴とするものである。
【０００９】
なお、扉の周縁をコ字状に折り曲げて折返部を形成し、また筐体本体の開口部の周縁に内側屈曲部を形成し、扉閉塞時に第２の防水部材が、折返部と内側屈曲部との間に位置する構造とすることができる。また、第２の防水部材は第１の防水部材よりも耐候性が高く、第１の防水部材は第２の防水部材よりも気密性に優れたものとすることができる。
【発明の効果】
【００１０】
本発明の電気機器収納用箱は、ヒンジ部材の軸心をヒンジ部材を配置した筐体本体の辺の、第１の防水部材及び第２の防水部材よりも外側に位置させたため、扉開閉時に扉を第１の防水部材及び第２の防水部材に対して、横方向の力を作用させることなく当接させることができる。このため、扉の端部と筐体本体との間に形成される隙間を完全密封することができ、従来構造よりも防水性を高めることができる。
【図面の簡単な説明】
【００１１】
【図１】実施形態の電気機器収納用箱の外観斜視図である。
【図２】扉を開いた状態の要部の断面図である。
【図３】扉を閉じた状態の要部の断面図である。
【図４】実施形態の電気機器収納用箱の水平断面図である。
【図５】他の実施形態を示す要部の断面図である。
【図６】通気路の位置を示す正面図である。
【図７】他の通気路を示す斜視図である。
【図８】特許文献１に記載された構造の要部を示す断面図である。
【発明を実施するための形態】
【００１２】
以下に図面を参照しつつ、本発明の実施形態を説明する。
図１は実施形態の電気機器収納用箱の外観斜視図であり、１０は電気機器収納用箱の筐体本体、１１は筐体本体１０の開口部を覆う扉である。扉１１はヒンジ部材１２によって、筐体本体１０の開口部の片側の辺に開閉自在に取り付けられている。またヒンジ部材１２の反対側には、扉１０をロックするハンドル部材２２が設けられている。
【００１３】
図２に示すように、筐体本体１０の開口部の周縁には、筐体本体１０の側面板１３から開口部の内側に直角に折り曲げられた内側屈曲部１４と、前方に直角に折り曲げられた前方屈曲部１５と、その先端を開口部の外側に直角に折り曲げた外側屈曲部１６とからなる水切り部１７が形成されている。
【００１４】
また扉１１の端部はコ字状に屈曲され、後方屈曲部１８と折返部１９とが形成されている。そしてヒンジ部材１２の一方の板２０は筐体本体１０の側面板１３の外側面に締結されており、他方の板２１は扉１１の後方屈曲部１８の外側面に締結されている。２３はヒンジ部材１２の軸心である。
【００１５】
扉１１の裏面には第１の防水部材２４が設けられている。図３に示すように、この第１の防水部材２４は、扉１１を閉じたときに筐体本体１０の外側屈曲部１６に当接する位置に配置されている。また筐体本体１０の内側屈曲部１４には、第２の防水部材２５が設けられている。図３に示すように、この第２の防水部材２５は、扉１１を閉じたときに扉１１の折返部１９と筐体本体１０の内側屈曲部１４との間に位置するように配置されている。
【００１６】
これらの図２、図３に示されるように、ヒンジ部材１２の軸心２３は筐体本体１０の側面板１３の外側にあり、第１の防水部材２４と第２の防水部材２５は側面板１３の内側にあるので、ヒンジ部材１２の軸心２３は、第１の防水部材２４及び第２の防水部材２５よりも外側に位置することとなる。
【００１７】
図１に示されるように、本実施形態では、第１の防水部材２４は扉１１の四方の周縁部全体に一連に形成されている。その材質は特定されるものではないが、例えば発泡ウレタンとすることができる。第１の防水部材２４を筐体本体１０の外側屈曲部１６に設けることも可能であるが、本実施形態では外側屈曲部１６よりも取付可能領域が広い扉１１の裏面に設けている。
【００１８】
第２の防水部材２５は、内側屈曲部１４の第１の防水部材２４よりも外側となる位置に、一連に設けられている。その材質も特定されるものではないが、例えば耐候性に優れたEPDM（エチレンプロピレンジエンゴム）とすることができる。第２の防水部材２５を扉１１の折返部１９に設けることも可能であるが、本実施形態では取付可能領域がより広い筐体本体１０の内側屈曲部１４に設けている。
【００１９】
上記したように、第２の防水部材２５は第１の防水部材２４よりも耐候性が高く、第１の防水部材２４は第２の防水部材２５よりも気密性に優れたものとすることが好ましい。第２の防水部材２５は第１の防水部材２４よりも外側に位置するので、雨水と接触する可能性が第１の防水部材２４よりも大きいからである。
【００２０】
このように構成された本発明の電気機器収納用箱は、ヒンジ部材１２の軸心２３が第１の防水部材２４及び第２の防水部材２５よりも外側に位置するので、図２、図３に示されるように、扉１１の開閉時にこれらの防水部材はほぼ垂直方向から押圧されることとなり、横にずれるおそれがない。このため、扉１１の端部と筐体本体１０との間に形成される隙間を完全密封することができ、従来構造よりも防水性を高めることができる。
【００２１】
上記の実施形態においては、ヒンジ部材１２は扉１１と筐体本体１０に対して、外側からネジにより固定されている。しかしヒンジ部材１２を溶接により固定することもできる。溶接によれば、ヒンジ部材１２を外側から取り外すことができなくなるので、セキュリティ性を向上させることができる。また図５に示すように、筐体本体１０の内側屈曲部１４と扉１１の折返部１９とを延設し、第２の防水部材２５よりも外側位置において、内側屈曲部１４と折返部１９との間にヒンジ部材１２をネジで固定する構造としてもよい。この構造とすれば外部からヒンジ部材１２を取り外すことができなくなり、セキュリティ性をさらに向上させることが可能となる。
【００２２】
上記した通り２重の防水部材２４、２５を備えた本発明の電気機器収納用箱は気密性に優れるため、冷水と接触するなどして筐体内部が冷却された場合、筐体内が負圧となって外部から水分を吸引し易い状態となるおそれがある。この問題を解決するため、第１の防水部材２４と第２の防水部材２５との間に形成される空間から筐体内部に通じる第１の通気路と、この空間から筐体外部に通じる第２の通気路とを形成し、筐体内部を外気と等圧にしておくことが好ましい。
【００２３】
このため図６に示すように、扉１１に設けられた第１の防水部材２４に第１の通気路２６を形成し、筐体本体１０に設けられた第２の防水部材２５に第２の通気路２７を形成することが好ましい。これらの通気路は防水部材２４、２５の一部を切り欠いて形成しても、あるいは防水部材２４、２５の端部間に形成してもよい。
【００２４】
また図７に示すように、第２の通気路２７として、扉１１の底部に貫通孔を形成することもできる。ただしこの貫通孔を通じて水が浸入することがないように、止水機能と通気機能を備えたブッシュ２８を取り付けておくことが好ましい。
【００２５】
これらの通気路の位置については、第２の通気路２７は下側とすることが好ましい。雨水などの浸入を防止するためである。また第１の通気路２６は、ヒンジ部材１２が形成された側に形成しても、その反対のハンドルが設けられた側に形成してもよい。ヒンジ部材１２が形成された側では扉１１を閉じた際に、防水部材を安定して圧縮することができるので、第１の通気路２６の周囲の密閉性が低下するおそれがない。その他、第１の通気路２６は上側に形成してもよい。このように、第１の通気路２６は第２の通気路２７とは別の側に形成することが好ましい。第１の通気路２６を下側に形成する場合には、第２の通気路２７と同一直線上に並ばないように、ずらして設けることが好ましい。
【００２６】
いずれの場合にも、第１の通気路２６と第２の通気路２７の位置をずらしておけば、仮に第２の通気路２７から水が浸入した場合にも、第１の通気路２６を通じて筐体内部に水が浸入することがなく、防水性と等圧性とを両立させることができる。
【符号の説明】
【００２７】
１  筐体本体
２  扉
３  ヒンジ部材
４  第１の防水部材
５  第２の防水部材
１０  筐体本体
１１  扉
１２  ヒンジ部材
１３  側面板
１４  内側屈曲部
１５  前方屈曲部
１６  外側屈曲部
１７  水切り部
１８  後方屈曲部
１９  折返部
２０  板
２１  板
２２  ハンドル部材
２３  軸心
２４  第１の防水部材
２５  第２の防水部材
２６  第１の通気路
２７  第２の通気路
２８  ブッシュ
【図１】
2020092510.tif 000003
【図２】
2020092510.tif 000004
【図３】
2020092510.tif 000005
【図４】
2020092510.tif 000006
【図５】
2020092510.tif 000007
【図６】
2020092510.tif 000008
【図７】
2020092510.tif 000009
【図８】
2020092510.tif 000010